(57)【要約】  情報処理装置（２０）は、操作表示部（２２）と、印刷ジョブの設定に関する目的を選択する選択操作を受け付ける受付処理部（２１１）と、受付処理部（２１１）によって前記選択操作が受け付けられた場合に、前記印刷ジョブに関する複数の設定項目Ｇ２２〜Ｇ２９のうち、前記選択操作によって選択された前記目的に予め対応付けられた複数の特定設定項目Ｇ２２〜Ｇ２８を他の設定項目Ｇ２９と識別可能に表示させる表示処理部（２１４）と、を備える。
2019107270.tif 000002
【特許請求の範囲】
【請求項１】
ジョブの設定に関する目的を選択する選択操作を受け付ける受付処理部と、
前記受付処理部によって前記選択操作が受け付けられた場合に、前記ジョブに関する複数の設定項目のうち前記選択操作によって選択された前記目的に予め対応付けられた一又は複数の特定設定項目を他の設定項目と識別可能に表示させる表示処理部と、
を備える情報処理装置。
【請求項２】
前記受付処理部によって前記選択操作が受け付けられた場合に、前記選択操作によって選択された前記目的に予め対応付けられた設定情報に基づいて前記選択操作によって選択された前記目的に対応する前記特定設定項目各々の内容を設定する設定処理部を備える、
請求項１に記載の情報処理装置。
【請求項３】
前記表示処理部は、前記特定設定項目各々を前記選択操作によって選択された前記目的に予め対応付けられた前記特定設定項目各々の設定内容を示す数値と組み合わせて表示させて、前記特定設定項目の内容が変更される毎に前記数値の表示を更新させる、
請求項１に記載の情報処理装置。
【請求項４】
前記表示処理部は、前記数値の合計値を表示させて、前記特定設定項目の内容が変更される毎に前記合計値の表示を更新させる、
請求項３に記載の情報処理装置。
【請求項５】
前記合計値が前記選択操作によって選択された前記目的に予め対応付けられた閾値未満である場合に、前記ジョブの実行を禁止する実行制御部を備える、
請求項４に記載の情報処理装置。
【請求項６】
原稿から画像データを読取可能な画像読取部、及び画像データに基づく画像を形成可能な画像形成部のいずれか一方又は両方を備える、
請求項１に記載の情報処理装置。
【請求項７】
ジョブの設定に関する目的を選択する選択操作を受け付けることと、
前記選択操作が受け付けられた場合に、前記ジョブに関する複数の設定項目のうち前記選択操作によって選択された前記目的に予め対応付けられた一又は複数の特定設定項目を他の設定項目と識別可能に表示させることと、
を含むジョブの設定方法。
【発明の詳細な説明】
【技術分野】
【０００１】
本発明は、ジョブに関する設定項目各々を設定可能な情報処理装置、及びジョブの設定方法に関する。
【背景技術】
【０００２】
画像データに基づく画像を形成可能なプリンターのような画像形成装置が知られている（例えば、特許文献１参照）。また、前記画像形成装置とＬＡＮなどの通信ネットワークを介して接続されるパーソナルコンピューターのような情報処理装置が知られている。例えば、前記情報処理装置では、ユーザー操作に応じて、前記画像形成装置で実行される印刷ジョブに関する設定項目各々の内容が設定される。
【先行技術文献】
【特許文献】
【０００３】
【特許文献１】特開平４−７０７６９号公報
【発明の概要】
【発明が解決しようとする課題】
【０００４】
ところで、前記情報処理装置のユーザーは、例えば「コスト削減」のような目的を達成できるように、前記設定項目各々の内容を設定することがある。ここで、前記情報処理装置の表示部に表示される前記設定項目が多岐に亘る場合には、ユーザーにおいて所望の目的に関連する前記設定項目を探す手間が生じる。【０００５】
本発明の目的は、所望の目的に関連するジョブの設定項目を探すユーザーの手間を軽減可能な情報処理装置、及びジョブの設定方法を提供することにある。
【課題を解決するための手段】
【０００６】
本発明の一の局面に係る情報処理装置は、受付処理部と、表示処理部とを備える。前記受付処理部は、ジョブの設定に関する目的を選択する選択操作を受け付ける。前記表示処理部は、前記受付処理部によって前記選択操作が受け付けられた場合に、前記ジョブに関する複数の設定項目のうち前記選択操作によって選択された前記目的に予め対応付けられた一又は複数の特定設定項目を他の設定項目と識別可能に表示させる。【０００７】
本発明の他の局面に係るジョブの設定方法は、ジョブの設定に関する目的を選択する選択操作を受け付けることと、前記選択操作が受け付けられた場合に、前記ジョブに関する複数の設定項目のうち前記選択操作によって選択された前記目的に予め対応付けられた一又は複数の特定設定項目を他の設定項目と識別可能に表示させることと、を含む。
【発明の効果】
【０００８】
本発明によれば、所望の目的に関連するジョブの設定項目を探すユーザーの手間を軽減可能な情報処理装置、及びジョブの設定方法が実現される。
【図面の簡単な説明】
【０００９】
【図１】図１は、本発明の実施形態に係る画像処理システムの構成を示すブロック図である。
【図２】図２は、本発明の実施形態に係る画像処理システムに含まれる画像処理装置の構成を示す図である。
【図３】図３は、本発明の実施形態に係る画像処理システムで表示される目的選択画面の一例を示す図である。
【図４】図４は、本発明の実施形態に係る画像処理システムで用いられる対応関係データの一例を示す図である。
【図５】図５は、本発明の実施形態に係る画像処理システムで用いられる対応関係データの一例を示す図である。
【図６】図６は、本発明の実施形態に係る画像処理システムで用いられる設定データの一例を示す図である。
【図７】図７は、本発明の実施形態に係る画像処理システムで表示される項目表示画面の一例を示す図である。
【図８】図８は、本発明の実施形態に係る画像処理システムで表示される項目表示画面の一例を示す図である。
【図９】図９は、本発明の実施形態に係る画像処理システムで表示される項目表示画面の一例を示す図である。
【図１０】図１０は、本発明の実施形態に係る画像処理システムで実行されるジョブ設定処理の一例を示すフローチャートである。
【発明を実施するための形態】
【００１０】
以下、添付図面を参照しながら、本発明の実施形態について説明する。なお、以下の実施形態は、本発明を具体化した一例であって、本発明の技術的範囲を限定するものではない。
【００１１】
［画像処理システム１００］
本発明の実施形態に係る画像処理システム１００は、図１に示されるように、画像処理装置１０と、情報処理装置２０とを含む。画像処理システム１００において、画像処理装置１０、及び情報処理装置２０は、互いに通信ネットワーク３０を介して相互に通信可能に接続されている。例えば、通信ネットワーク３０は、インターネット又はＬＡＮ（ローカルエリアネットワーク）である。
【００１２】
［画像処理装置１０］
画像処理装置１０は、原稿から画像データを読み取るスキャン機能、及び画像データに基づいて画像を形成するプリント機能と共に、ファクシミリ機能、及びコピー機能などの複数の機能を有する複合機である。なお、画像処理装置１０は、スキャナー、プリンター装置、ファクシミリ装置、コピー機、及びパーソナルコンピューターなどであってもよい。
【００１３】
図１及び図２に示されるように、画像処理装置１０は、ＡＤＦ（自動原稿搬送装置）１、画像読取部２、画像形成部３、給紙部４、制御部５、操作表示部６、通信部７、及び記憶部８を備える。なお、図２は画像処理装置１０の構成を示す断面模式図である。
【００１４】
ＡＤＦ１は、原稿セット部、複数の搬送ローラー、原稿押さえ、及び排紙部を備え、画像読取部２によって読み取られる原稿を搬送する。
【００１５】
画像読取部２は、原稿台、光源、複数のミラー、光学レンズ、及びＣＣＤを備え、原稿から画像データを読み取ることが可能である。
【００１６】
画像形成部３は、画像読取部２で読み取られた画像データに基づいて、電子写真方式でカラー又はモノクロの画像を形成することが可能である。また、画像形成部３は、情報処理装置２０から入力された画像データに基づいて、画像を形成することも可能である。具体的に、画像形成部３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。なお、画像形成部３は、インクジェット方式などの他の画像形成方式により画像を形成するものであってもよい。
【００１７】
給紙部４は、画像形成部３にシートを供給する。具体的に、給紙部４は、給紙カセット、及び複数の搬送ローラーを備える。画像処理装置１０では、給紙部４から供給されるシートにカラー又はモノクロの画像が形成されて、画像形成後の前記シートが前記排紙トレイに排出される。
【００１８】
制御部５は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは揮発性の記憶装置であり、前記ＥＥＰＲＯＭは不揮発性の記憶装置である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１９】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００２０】
通信部７は、情報処理装置２０との間で、通信ネットワーク３０を介して有線又は無線によるデータ通信を実行可能な通信インターフェイスである。
【００２１】
記憶部８は、不揮発性の記憶装置である。例えば、記憶部８は、フラッシュメモリー、ＳＳＤ（ソリッドステートドライブ）、又はＨＤＤ（ハードディスクドライブ）などの記憶装置である。
【００２２】
［情報処理装置２０］
情報処理装置２０は、画像処理装置１０に印刷ジョブを実行させることが可能なパーソナルコンピューターである。なお、情報処理装置２０は、ノートパソコン、スマートフォン、タブレット端末、及びＰＤＡなどであってもよい。
【００２３】
図１に示されるように、情報処理装置２０は、制御部２１、操作表示部２２、通信部２３、及び記憶部２４を備える。
【００２４】
制御部２１は、不図示のＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは、前記ＣＰＵが実行する各種の処理の一時記憶メモリー（作業領域）として使用される揮発性の記憶装置である。制御部２１では、前記ＣＰＵにより前記ＲＯＭに予め記憶された各種の制御プログラムが実行される。これにより、情報処理装置２０が制御部２１により統括的に制御される。
【００２５】
操作表示部２２は、制御部２１からの制御指示に応じて各種の情報を表示する液晶ディスプレーなどの表示部、及びユーザーの操作に応じて制御部２１に各種の情報を入力するキーボード及びマウスなどの操作部を有する。
【００２６】
通信部２３は、画像処理装置１０との間で、通信ネットワーク３０を介して有線又は無線によるデータ通信を実行可能な通信インターフェイスである。
【００２７】
記憶部２４は、ＳＳＤ（ソリッドステートドライブ）又はＨＤＤ（ハードディスクドライブ）などの記憶装置である。
【００２８】
情報処理装置２０では、ユーザー操作に応じて、前記印刷ジョブに関する設定項目各々の内容の設定に用いられる項目表示画面（図７参照）が表示される。情報処理装置２０のユーザーは、前記項目表示画面において、前記設定項目各々の内容の設定、及び前記印刷ジョブの実行指示を行うことが可能である。
【００２９】
ところで、情報処理装置２０のユーザーは、例えば「コスト削減」のような目的を達成できるように、前記印刷ジョブに関する前記設定項目各々の内容を設定することがある。ここで、情報処理装置２０の操作表示部２２に表示される前記設定項目が多岐に亘る場合には、ユーザーにおいて所望の目的に関連する前記設定項目を探す手間が生じる。
【００３０】
これに対し、本発明の実施形態に係る画像処理システム１００では、以下に説明するように、所望の目的に関連するジョブの設定項目を探すユーザーの手間を軽減することが可能である。
【００３１】
具体的に、情報処理装置２０の記憶部２４には、制御部２１の前記ＣＰＵに後述のジョブ設定処理（図１０のフローチャート参照）を実行させるためのジョブ設定プログラムが予め記憶されている。なお、前記ジョブ設定プログラムは、ＣＤ、ＤＶＤ、フラッシュメモリーなどのコンピューター読み取り可能な記録媒体に記録されており、前記記録媒体から読み取られて記憶部２４にインストールされてもよい。
【００３２】
そして、制御部２１は、図１に示されるように、受付処理部２１１、設定処理部２１２、数値取得部２１３、表示処理部２１４、及び実行制御部２１５を含む。具体的に、制御部２１は、前記ＣＰＵを用いて記憶部２４に記憶されている前記ジョブ設定プログラムを実行する。これにより、制御部２１は、受付処理部２１１、設定処理部２１２、数値取得部２１３、表示処理部２１４、及び実行制御部２１５として機能する。
【００３３】
受付処理部２１１は、前記印刷ジョブの設定に関する目的を選択する選択操作を受け付ける。ここに、前記印刷ジョブが、本発明におけるジョブの一例である。
【００３４】
例えば、受付処理部２１１は、ユーザー操作に応じて、前記選択操作に用いられる目的選択画面を操作表示部２２に表示させる。そして、受付処理部２１１は、前記目的選択画面において前記選択操作が行われるのを待ち受ける。
【００３５】
図３には、受付処理部２１１によって操作表示部２２に表示される前記目的選択画面の一例である目的選択画面Ｇ１０が示されている。図３に示されるように、目的選択画面Ｇ１０は、メッセージ表示欄Ｇ１１、及び操作アイコンＧ１２〜Ｇ１５を含む。メッセージ表示欄Ｇ１１には、ユーザーへのメッセージが表示されている。操作アイコンＧ１２には、前記目的の一つである「コスト削減」が表示されている。操作アイコンＧ１３には、前記目的の一つである「見易さ重視」が表示されている。操作アイコンＧ１４には、前記目的の一つである「静音重視」が表示されている。操作アイコンＧ１２〜Ｇ１４のいずれかに対する操作が、前記選択操作である。操作アイコンＧ１５は、目的選択画面Ｇ１０から目的選択画面Ｇ１０が表示される前の画面への画面切り替えに用いられる。
【００３６】
ここで、前記目的各々は、前記印刷ジョブに関する複数の前記設定項目のうち、予め定められた一又は複数の特定設定項目と対応付けられている。例えば、情報処理装置２０では、前記目的と前記特定設定項目とが対応付けられた対応関係データが予め記憶部２４に記憶されている。なお、前記対応関係データは、操作表示部２２におけるユーザー操作に応じて任意に生成、及び変更されるものであってよい。
【００３７】
図４には、前記対応関係データの一例である対応関係データＤ１０が示されている。図４に示されるように、対応関係データＤ１０は、「コスト削減」という前記目的に対応付けられた複数の前記特定設定項目を含む。また、対応関係データＤ１０は、前記特定設定項目各々において設定可能な複数の設定内容、及び当該設定内容各々を示す数値を含む。ここで、前記数値は、前記目的に対する前記特定設定項目の設定内容の適合性を示すものであって、前記数値が高いほど、前記目的に対する適合性が高い。
【００３８】
なお、図４に示されている「ページ集約」の設定内容である「１ｉｎ１」「２ｉｎ１」「４ｉｎ１」とは、シートの一面に１、２、又は４ページ分の画像を印刷することである。また、図４に示されている「印刷時間帯」の設定内容である「昼間」「夜間」とは、前記印刷ジョブを、直ちに、又は特定の時間帯に実行することである。例えば、前記特定の時間帯は、電気料金の安い時間帯である。
【００３９】
図５には、前記対応関係データの他の一例である対応関係データＤ２０が示されている。図５に示されるように、対応関係データＤ２０は、「見易さ重視」という前記目的に対応付けられた複数の前記特定設定項目を含む。また、対応関係データＤ２０は、前記特定設定項目各々の設定内容、及び当該設定内容を示す数値を含む。図４及び図５に示されるように、対応関係データＤ２０は、対応関係データＤ１０に含まれている「印刷時間帯」を含んでいない。これは、対応関係データＤ２０の「見易さ重視」という前記目的に前記特定設定項目である「印刷時間帯」が関連していないことを示している。
【００４０】
設定処理部２１２は、受付処理部２１１によって前記選択操作が受け付けられた場合に、前記選択操作によって選択された前記目的に予め対応付けられた設定データ（本発明における設定情報の一例）に基づいて、前記選択操作によって選択された前記目的に対応する前記特定設定項目各々の内容を設定する。
【００４１】
また、設定処理部２１２は、前記設定項目のうち前記特定設定項目とは異なる他の設定項目ごとに予め定められた初期値に基づいて、前記他の設定項目各々の設定内容を設定する。
【００４２】
例えば、情報処理装置２０では、前記目的に対応する前記設定データが予め記憶部２４に記憶されている。例えば、前記設定データは、前記目的に対応する前記特定設定項目各々における複数の設定内容のうち、前記数値の最も高い設定内容を含むものである。なお、前記設定データは、操作表示部２２におけるユーザー操作に応じて任意に生成、及び変更されるものであってよい。
【００４３】
図６には、前記設定データの一例である設定データＤ３０が示されている。図６に示されるように、設定データＤ３０は、「コスト削減」という前記目的に対応する複数の前記特定設定項目各々における複数の設定内容のうち、前記数値の最も高い設定内容を含むものである。
【００４４】
例えば、設定処理部２１２は、受付処理部２１１によって前記選択操作が受け付けられた場合に、前記選択操作によって選択された前記目的に対応する前記設定データを記憶部２４から取得する。そして、設定処理部２１２は、取得された前記設定データに含まれる前記特定設定項目ごとの設定内容を前記ＲＡＭの予め定められた第１記憶領域に記憶させる。また、設定処理部２１２は、前記他の設定項目ごとの初期値を前記ＲＡＭの前記第１記憶領域に記憶させる。
【００４５】
数値取得部２１３は、前記選択操作によって選択された前記目的に対応する前記特定設定項目の内容が設定される場合に、当該目的に予め対応付けられた前記特定設定項目各々の設定内容を示す前記数値を取得する。
【００４６】
例えば、数値取得部２１３は、受付処理部２１１によって前記選択操作が受け付けられた場合に、前記選択操作によって選択された前記目的に対応する前記対応関係データ、及び当該目的に対応する前記設定データに基づいて、設定処理部２１２によって設定される前記特定設定項目各々の設定内容を示す前記数値を取得する。そして、数値取得部２１３は、取得された前記数値各々を前記特定設定項目各々と対応付けて前記ＲＡＭの予め定められた第２記憶領域に記憶させる。
【００４７】
また、数値取得部２１３は、後述する項目表示画面において前記特定設定項目の内容が変更された場合に、前記選択操作によって選択された前記目的に対応する前記対応関係データに基づいて、変更後の前記特定設定項目の設定内容を示す前記数値を取得する。そして、数値取得部２１３は、取得された前記数値に基づいて、前記ＲＡＭの前記第２記憶領域における記憶内容を更新する。
【００４８】
表示処理部２１４は、受付処理部２１１によって前記選択操作が受け付けられた場合に、前記選択操作によって選択された前記目的に対応する前記特定設定項目を前記他の設定項目と識別可能に表示させる。
【００４９】
例えば、表示処理部２１４は、受付処理部２１１によって前記選択操作が受け付けられた場合に、前記印刷ジョブに関する前記設定項目各々を含む項目表示画面を表示させる。そして、表示処理部２１４は、前記項目表示画面上で、前記選択操作によって選択された前記目的に対応する前記特定設定項目各々を前記他の設定項目と識別可能に表示させる。
【００５０】
例えば、表示処理部２１４は、前記他の設定項目各々の色及び濃度のいずれか一方又は両方を変化させる。なお、表示処理部２１４は、前記特定設定項目各々の色及び濃度のいずれか一方又は両方を変化させてもよい。また、表示処理部２１４は、前記特定設定項目各々を点滅表示させてもよい。
【００５１】
また、表示処理部２１４は、前記特定設定項目各々を、前記選択操作によって選択された前記目的に対応する前記特定設定項目各々の設定内容を示す前記数値と組み合わせて表示させる。また、表示処理部２１４は、前記特定設定項目の内容が変更される毎に前記数値の表示を更新させる。
【００５２】
また、表示処理部２１４は、前記数値の合計値を表示させて、前記特定設定項目の内容が変更される毎に前記合計値の表示を更新させる。
【００５３】
例えば、表示処理部２１４は、前記ＲＡＭの前記第２記憶領域における記憶内容に基づいて、前記選択操作によって選択された前記目的に対応する前記特定設定項目各々の設定内容を示す前記数値及び前記合計値を表示させる。
【００５４】
なお、表示処理部２１４は、前記合計値を表示させないものであってもよい。また、表示処理部２１４は、前記数値及び前記合計値の両方を表示させないものであってもよい。
【００５５】
図７には、前記項目表示画面の一例である項目表示画面Ｇ２０が示されている。項目表示画面Ｇ２０は、図３に示される目的選択画面Ｇ１０において、操作アイコンＧ１２が操作された場合に、操作表示部２２に表示される。
【００５６】
図７に示されるように、項目表示画面Ｇ２０は、メッセージ表示欄Ｇ２１、操作アイコンＧ２２〜Ｇ２９、目的表示欄Ｇ３０、及び操作アイコンＧ３１を含む。メッセージ表示欄Ｇ２１には、ユーザーへのメッセージが表示されている。目的表示欄Ｇ３０には、前記目的及び前記合計値が表示されている。操作アイコンＧ３１は、前記印刷ジョブの実行指示に用いられる。
【００５７】
操作アイコンＧ２２〜Ｇ２８は、前記特定設定項目各々に対応している。操作アイコンＧ２２〜Ｇ２８各々の上部には、当該操作アイコンの設定内容及び当該設定内容を示す前記数値が表示されている。操作アイコンＧ２９は、前記他の設定項目に対応している。操作アイコンＧ２９の上部には、当該操作アイコンの設定内容のみが表示されている。操作アイコンＧ２９は、操作アイコンＧ２２〜Ｇ２８とは異なる色及び濃度で表示されている。図７では、操作アイコンＧ２９が破線によって示されることで、操作アイコンＧ２９の表示態様が操作アイコンＧ２２〜Ｇ２８とは異なることが表現されている。操作アイコンＧ２２〜Ｇ２９は、前記設定項目各々の内容を変更する変更操作に用いられる。
【００５８】
図８には、前記項目表示画面の他の一例である項目表示画面Ｇ４０が示されている。項目表示画面Ｇ４０は、図３に示される目的選択画面Ｇ１０において、操作アイコンＧ１３が操作された場合に、操作表示部２２に表示される。
【００５９】
図８に示されるように、項目表示画面Ｇ４０は、メッセージ表示欄Ｇ４１、操作アイコンＧ４２〜Ｇ４９、目的表示欄Ｇ５０、及び操作アイコンＧ５１を含む。メッセージ表示欄Ｇ４１には、ユーザーへのメッセージが表示されている。目的表示欄Ｇ５０には、前記目的及び前記合計値が表示されている。操作アイコンＧ５１は、前記印刷ジョブの実行指示に用いられる。
【００６０】
操作アイコンＧ４２〜Ｇ４４及び操作アイコンＧ４６〜Ｇ４８は、前記特定設定項目各々に対応している。操作アイコンＧ４２〜Ｇ４４各々及び操作アイコンＧ４６〜Ｇ４８各々の上部には、当該操作アイコンの設定内容及び当該設定内容を示す前記数値が表示されている。操作アイコンＧ４５及び操作アイコンＧ４９は、前記他の設定項目に対応している。操作アイコンＧ４５及び操作アイコンＧ４９の上部には、当該操作アイコンの設定内容のみが表示されている。操作アイコンＧ４５及び操作アイコンＧ４９は、操作アイコンＧ４２〜Ｇ４４及び操作アイコンＧ４６〜Ｇ４８とは異なる色及び濃度で表示されている。図７では、操作アイコンＧ４５及び操作アイコンＧ４９が破線によって示されることで、操作アイコンＧ４５及び操作アイコンＧ４９の表示態様が操作アイコンＧ４２〜Ｇ４４及び操作アイコンＧ４６〜Ｇ４８とは異なることが表現されている。操作アイコンＧ４２〜Ｇ４９は、前記設定項目各々の内容を変更する前記変更操作に用いられる。
【００６１】
図９には、図７に示される項目表示画面Ｇ２０において、操作アイコンＧ２２に対応する前記特定設定項目の設定内容が変更された後の状態が示されている。具体的に、図９では、前記特定設定項目である「両面／片面印刷」の設定内容が、図７で表示されていた「両面」から「片面」に変更されている。そのため、図９に示される項目表示画面Ｇ２０では、操作アイコンＧ２２の上部に表示される前記数値、及び目的表示欄Ｇ３０に表示される前記合計値が更新されている。
【００６２】
実行制御部２１５は、前記合計値が前記選択操作によって選択された前記目的に予め対応付けられた閾値未満である場合に、前記印刷ジョブの実行を禁止する。
【００６３】
例えば、情報処理装置２０では、前記目的各々に対応する前記閾値が予め記憶部２４に記憶されている。なお、前記閾値は、操作表示部２２におけるユーザー操作に応じて任意に設定されてよい。
【００６４】
例えば、実行制御部２１５は、前記合計値が前記選択操作によって選択された前記目的に対応する前記閾値未満である場合に、前記合計値が前記閾値未満であるために前記印刷ジョブを実行できない旨のメッセージを操作表示部２２に表示させる。
【００６５】
なお、制御部２１は、設定処理部２１２、数値取得部２１３、及び実行制御部２１５のいずれか一つ又は複数を含んでいなくてもよい。
【００６６】
［ジョブ設定処理］
以下、図１０を参照しつつ、情報処理装置２０において制御部２１により実行されるジョブ設定処理の手順の一例について説明する。ここで、ステップＳ１１、Ｓ１２・・・は、制御部２１により実行される処理手順（ステップ）の番号を表している。なお、前記ジョブ設定処理は、前記印刷ジョブで印刷される画像データが特定された状態で、前記目的選択画面の表示を指示するユーザー操作が行われた場合に実行される。
【００６７】
＜ステップＳ１１＞
まず、ステップＳ１１において、制御部２１は、前記目的選択画面を操作表示部２２に表示させる。ここで、ステップＳ１１の処理は、制御部２１の受付処理部２１１により実行される。
【００６８】
例えば、制御部２１は、図３に示される目的選択画面Ｇ１０を操作表示部２２に表示させる。
【００６９】
＜ステップＳ１２＞
ステップＳ１２において、制御部２１は、ステップＳ１１で表示された前記目的選択画面において、前記選択操作を受け付けたか否かを判断する。
【００７０】
例えば、制御部２１は、目的選択画面Ｇ１０内の操作アイコンＧ１２〜Ｇ１４のいずれかが操作された場合に、前記選択操作を受け付けたと判断する。
【００７１】
ここで、制御部２１は、前記選択操作を受け付けたと判断すると（Ｓ１２のＹｅｓ側）、処理をステップＳ１３に移行させる。また、前記選択操作を受け付けていなければ（Ｓ１２のＮｏ側）、制御部２１は、ステップＳ１２で前記選択操作の受け付けを待ち受ける。
【００７２】
＜ステップＳ１３＞
ステップＳ１３において、制御部２１は、ステップＳ１２で受け付けられた前記選択操作によって選択された前記目的に対応する前記設定データに基づいて、当該選択操作によって選択された前記目的に対応する前記特定設定項目各々の内容を設定する。ここで、ステップＳ１３の処理は、制御部２１に設定処理部２１２により実行される。
【００７３】
例えば、制御部２１は、図３に示される目的選択画面Ｇ１０において操作アイコンＧ１２が操作された場合に、図６に示される設定データＤ３０を記憶部２４から取得する。そして、制御部２１は、取得された設定データＤ３０に含まれる前記特定設定項目ごとの設定内容を前記ＲＡＭの前記第１記憶領域に記憶させる。これにより、前記選択操作によって選択された前記目的に適合するように前記特定設定項目各々の設定内容を設定するユーザーの手間を省くことが可能である。また、制御部２１は、前記他の設定項目ごとの初期値を前記ＲＡＭの前記第１記憶領域に記憶させる。
【００７４】
＜ステップＳ１４＞
ステップＳ１４において、制御部２１は、ステップＳ１２で受け付けられた前記選択操作によって選択された前記目的に対応する前記特定設定項目各々の設定内容を示す前記数値を取得する。ここで、ステップＳ１４の処理は、制御部２１の数値取得部２１３により実行される。
【００７５】
例えば、制御部２１は、図３に示される目的選択画面Ｇ１０において操作アイコンＧ１２が操作された場合に、図４に示される対応関係データＤ１０、及び図６に示される設定データＤ３０に基づいて、ステップＳ１３で設定された前記特定設定項目各々の設定内容を示す前記数値を取得する。そして、制御部２１は、取得された前記数値各々を前記特定設定項目各々と対応付けて前記ＲＡＭの前記第２記憶領域に記憶させる。
【００７６】
＜ステップＳ１５＞
ステップＳ１５において、制御部２１は、ステップＳ１２で受け付けられた前記選択操作によって選択された前記目的に対応する前記特定設定項目が前記他の設定項目と識別可能に表示された前記項目表示画面を操作表示部２２に表示させる。ここで、ステップＳ１５の処理は、制御部２１の表示処理部２１４により実行される。
【００７７】
例えば、制御部２１は、図３に示される目的選択画面Ｇ１０において操作アイコンＧ１２が操作された場合に、図７に示される項目表示画面Ｇ２０を表示させる。ここで、制御部２１は、前記ＲＡＭの前記第２記憶領域に記憶されている前記特定設定項目各々に対応する前記数値に基づいて、前記特定設定項目各々の設定内容を示す前記数値及び前記合計値を表示させる。これにより、ユーザーは、個々の前記特定設定項目の設定内容の前記目的に対する適合性が、前記特定設定項目の全体に対してどの程度の割合を占めるものなのかを認識することが可能である。また、前記合計値が表示されることで、ユーザーの前記合計値を計算する手間を省くことが可能である。
【００７８】
＜ステップＳ１６＞
ステップＳ１６において、制御部２１は、ステップＳ１５で表示された前記項目表示画面において、いずれかの前記設定項目の内容を変更する前記変更操作が受け付けられたか否かを判断する。
【００７９】
例えば、制御部２１は、図７に示される項目表示画面Ｇ２０が表示された場合において、操作アイコンＧ２２に対する操作が行われた場合に、操作アイコンＧ２２に対応する前記設定項目の設定内容を変更可能な項目設定画面を表示させる。そして、制御部２１は、前記項目設定画面において設定内容を特定する操作が行われた場合に、前記変更操作が受け付けられたと判断する。
【００８０】
ここで、制御部２１は、前記変更操作が受け付けられたと判断すると（Ｓ１６のＹｅｓ側）、処理をステップＳ１７に移行させる。また、前記変更操作が受け付けられていなければ（Ｓ１６のＮｏ側）、制御部２１は、処理をステップＳ２０に移行させる。
【００８１】
＜ステップＳ１７＞
ステップＳ１７において、制御部２１は、ステップＳ１６で受け付けられた前記変更操作に応じて、前記設定項目の設定内容を変更する。
【００８２】
例えば、制御部２１は、前記変更操作に応じて、前記ＲＡＭの前記第１記憶領域の記憶内容を変更する。
【００８３】
＜ステップＳ１８＞
ステップＳ１８において、制御部２１は、ステップＳ１７による変更後の前記特定設定項目の設定内容を示す前記数値を取得する。ここで、ステップＳ１８の処理は、制御部２１の数値取得部２１３により実行される。
【００８４】
例えば、制御部２１は、図７に示される項目表示画面Ｇ２０が表示された場合に、図４に示される対応関係データＤ１０に基づいて、変更後の前記特定設定項目の設定内容を示す前記数値を取得する。そして、制御部２１は、取得された前記数値に基づいて、前記ＲＡＭの前記第２記憶領域における記憶内容を更新する。
【００８５】
なお、制御部２１は、ステップＳ１７で内容が変更された前記設定項目が前記他の設定項目である場合は、ステップＳ１８の処理を省略してよい。
【００８６】
＜ステップＳ１９＞
ステップＳ１９において、制御部２１は、ステップＳ１５で表示された前記項目表示画面における前記数値及び前記合計値の表示を更新させる。ここで、ステップＳ１９の処理は、制御部２１の表示処理部２１４により実行される。
【００８７】
例えば、制御部２１は、前記ＲＡＭの前記第２記憶領域における記憶内容に基づいて、前記項目表示画面における前記数値及び前記合計値の表示を更新させる。これにより、ユーザーは、前記特定設定項目の設定内容の変更が前記特定設定項目全体に対してどの程度の影響を生じさせるのかを前記数値及び前記合計値に基づいて認識することが可能である。
【００８８】
＜ステップＳ２０＞
ステップＳ２０において、制御部２１は、前記印刷ジョブの実行を指示する実行操作が受け付けられたか否かを判断する。
【００８９】
例えば、制御部２１は、図７に示される項目表示画面Ｇ２０が表示された場合において、操作アイコンＧ３１が操作された場合に、前記実行操作が受け付けられたと判断する。
【００９０】
ここで、制御部２１は、前記実行操作が受け付けられたと判断すると（Ｓ２０のＹｅｓ側）、処理をステップＳ２１に移行させる。また、前記実行操作が受け付けられていなければ（Ｓ２０のＮｏ側）、制御部２１は、処理をステップＳ１６に移行させる。
【００９１】
＜ステップＳ２１＞
ステップＳ２１において、制御部２１は、ステップＳ２０における前記実行操作の受け付け時に前記項目表示画面に表示されている前記合計値が、ステップＳ１２で受け付けられた前記選択操作によって選択された前記目的に対応する前記閾値未満であるか否かを判断する。
【００９２】
ここで、制御部２１は、前記合計値が前記閾値未満であると判断すると（Ｓ２１のＹｅｓ側）、前記合計値が前記閾値未満であるために前記印刷ジョブを実行できない旨のメッセージを操作表示部２２に表示させて、処理をステップＳ１６に移行させる。これにより、前記目的と適合しない設定内容に基づく前記印刷ジョブの実行を抑制することが可能である。また、前記合計値が前記閾値未満でなければ（Ｓ２１のＮｏ側）、制御部２１は、処理をステップＳ２２に移行させる。
【００９３】
＜ステップＳ２２＞ 
ステップＳ２２において、制御部２１は、ステップＳ２０における前記実行操作の受け付け時における前記項目表示画面の表示内容に基づく前記印刷ジョブを生成して、生成された前記印刷ジョブを画像処理装置１０に送信する。ここで、ステップＳ２１及びステップＳ２２の処理は、制御部２１の実行制御部２１５により実行される。
【００９４】
例えば、制御部２１は、前記ＲＡＭの前記第１記憶領域における記憶内容に基づいて、印刷される画像データを含む前記印刷ジョブを生成する。
【００９５】
一方、画像処理装置１０では、情報処理装置２０から送信される前記印刷ジョブの受信に応じて、当該印刷ジョブが実行される。ここで、画像処理装置１０は、当該印刷ジョブに含まれる前記設定項目各々の設定内容に従って、当該印刷ジョブを実行する。
【００９６】
なお、前記ジョブ設定処理において、ステップＳ１３、ステップＳ１４、ステップＳ１８、及びステップＳ２１の処理は省略されてもよい。
【００９７】
このように、画像処理システム１００では、前記選択操作が受け付けられた場合に、当該選択操作によって選択された前記目的に対応する前記特定設定項目が前記他の設定項目と識別可能に表示される。これにより、所望の目的に関連するジョブの設定項目を探すユーザーの手間を軽減することが可能である。
【００９８】
なお、本発明におけるジョブは、前記印刷ジョブに限られない。例えば、本発明におけるジョブは、画像処理装置１０で実行される送信ジョブ、コピージョブ、ＦＡＸ送信ジョブなどであってもよい。ここで、前記送信ジョブは、画像読取部２で読み取られた画像データを情報処理装置２０に送信するジョブである。この場合、画像処理装置１０の制御部５は、受付処理部２１１、設定処理部２１２、数値取得部２１３、表示処理部２１４、及び実行制御部２１５を含んでいてもよい。また、前記ジョブ設定処理は、画像処理装置１０で実行されてもよい。ここに、受付処理部２１１、設定処理部２１２、数値取得部２１３、表示処理部２１４、及び実行制御部２１５を含む制御部５を備える画像処理装置１０が、本発明における情報処理装置の他の一例である。
【図１】
2019107270.tif 000003
【図２】
2019107270.tif 000004
【図３】
2019107270.tif 000005
【図４】
2019107270.tif 000006
【図５】
2019107270.tif 000007
【図６】
2019107270.tif 000008
【図７】
2019107270.tif 000009
【図８】
2019107270.tif 000010
【図９】
2019107270.tif 000011
【図１０】
2019107270.tif 000012
【国際調査報告】
2019107270.tif 000013
2019107270.tif 000014
2019107270.tif 000015